(57)【要約】  本発明は、ユーザ情報がパートに分割して記録される少なくとも２つの情報レイヤを有し、これらのパートが少なくとも２つの情報レイヤに交互に記録されるマルチレイヤ記録担体であって、特別な情報を含む特別な第１のセッション（セッション１）を有し、この特別な情報によって、ユーザ情報が当該記録担体から読み取られることを可能にするマルチレイヤ記録担体に関する。本発明は、更に、当該記録担体にこの特別な情報を記録する方法にも関する。【特許請求の範囲】
【請求項１】
情報を記憶するための少なくとも２つの情報レイヤを有するマルチレイヤ記録担体であり、ユーザ情報がパートに分割して当該記録担体に記録され、前記パートが前記少なくとも２つの情報レイヤに交互に記録されるマルチレイヤ記録担体であって、
特別な情報を含むパート（特別な第１のセッション）を有し、前記特別な情報によって、前記ユーザ情報が当該記録担体から読み取られるマルチレイヤ記録担体。
【請求項２】
前記特別な情報が、論理ブロックアドレスを物理ブロックアドレスに変換するためのフィルタドライブ（ドライバ）を有する、請求項１に記載のマルチレイヤ記録担体。
【請求項３】
前記特別な情報が、前記論理ブロックアドレスを前記物理ブロックアドレスに変換するための前記フィルタドライブ（前記ドライバ）のロケーションに対するポインタを有する、請求項１に記載のマルチレイヤ記録担体。
【請求項４】
情報を記憶するための少なくとも２つの情報レイヤを有するマルチレイヤ記録担体に、前記情報を記録する方法であり、ユーザ情報がパートに分割して前記記録担体に記録され、前記パートが前記少なくとも２つの情報レイヤに交互に記録される方法であって、
特別な情報を含むパート（特別な第１のセッション）を記録する最初のステップを含み、前記特別な情報によって、前記ユーザ情報が当該記録担体から読み取られることを可能にする方法。
【請求項５】
前記特別な情報が、論理ブロックアドレスを物理ブロックアドレスに変換するためのフィルタドライブ（ドライバ）を有する、請求項４に記載の方法。
【請求項６】
前記特別な情報が、前記論理ブロックアドレスを前記物理ブロックアドレスに変換するための前記フィルタドライブ（前記ドライバ）のロケーションに対するポインタを有する、請求項４に記載の方法。
【発明の詳細な説明】
【技術分野】
【０００１】
本発明は、情報を記憶するための少なくとも２つの情報レイヤを有するマルチレイヤ情報記録担体に関する。本発明は、特に、デュアルレイヤ記録可能なＤＶＤディスクに関する。本発明は、更に、このような記録担体を記録するための方法にも関する。
【背景技術】
【０００２】
デュアルレイヤ記録可能なＤＶＤ記録担体に情報を記録した後、この記録担体に既存の再生装置との互換性をもたせるために特別な対応策が講じられる必要がある。記録可能なＤＶＤ記録担体は、この記録可能なＤＶＤ記録担体が、いかなるＤＶＤ−ＲＯＭプレーヤにおいても再生されることができるように、ＤＶＤ−ＲＯＭ対応にされなければならない場合、未だに何も書き込まれていない領域はダミーデータで埋められる必要がある。なぜならば、ほとんどのＤＶＤプレーヤは、その記録担体において、情報を保持する情報レイヤと向かい合う情報レイヤに少しも情報が書き込まれていない記録担体、を処理することができないからである。
【０００３】
デュアルレイヤＯＴＰ(Opposite Track Path；オポジットトラックパス)タイプのＤＶＤ記録担体（記録可能なディスク、再書き込み可能なディスク及び読み取り専用ディスク）に、ユーザ情報を記憶するために利用できる全空間は、情報レイヤの、いわゆる、ミドルゾーンのロケーションに依存する。このミドルゾーンは、第１の情報レイヤから第２の情報レイヤへ移行するところに位置する。書き込まれるべき情報の容量が事前に分かっている場合、ミドルゾーンのロケーションは、書き込みに先立って決定されることができる。その場合、ミドルゾーンのロケーションは、好ましくは、実質的に同じ容量の情報が双方の情報レイヤに書き込まれるように選択される。
【０００４】
しかしながら、前もって知られていないサイズの情報が、デュアルレイヤ記録可能なＤＶＤ記録担体に書き込まれなければならない場合、ミドルゾーンのロケーションは、好ましくは、最大の記憶空間をもたらす最大許容ポジションに置かれるべきである。ミドルゾーンを最大許容ポジションに置くことの不利な面は、ダミーデータで埋めるのにかかり得る時間の長さである。この理由は、ユーザ情報を書き込まれていない利用可能な記憶空間はすべてダミーデータで埋められなければならないからである。
【０００５】
審査中の欧州特許出願公開第０３１０３２１０．５号明細書（当社整理番号ＰＨＮＬ０３１０４２）及び欧州特許出願公開第０３１０３２１７．０号明細書（当社整理番号ＰＨＮＬ０３１０４６）は、記憶されるべき情報の容量について事前の知識がなくても、記録担体に既存の再生装置との互換性、特に、ＤＶＤ−ＲＯＭプレーヤとの互換性、をもたせるための所要時間が最小限に短縮されるように、マルチレイヤ記録担体に情報を配する方法を説明する。これらの方法において、情報は、記録時に特定の埋め込みパターンに従ってマルチレイヤ記録担体の情報レイヤ全体に分配される。このような特定のフィリングパターンを用いることによって、セッション又はディスクをクローズ／ファイナライズするために、その間にダミーデータが書き込まれる所要時間、はかなり短縮される。これらの説明された方法では、記録は、予め決められた記憶空間の容量が一杯になるたびに、ディスクの第１のレイヤからディスクの第２のレイヤへ切り換えられる。このことが図１に概略的に示され、ここでは、パス１及び３は書き込みシーケンスを示し、パス２及び４はレイヤジャンプを示す。図１に示されるデュアルレイヤディスクは、一般に、レイヤ０（Ｌ０）及びレイヤ１（Ｌ１）として呼ばれる２つの情報レイヤを有する。レイヤ０は、情報を読み取る及び／又は記録するために用いられるレーザビームのような放射ビームがディスクに入るディスクの側の最も近くに置かれる情報レイヤである。ドライブは、最初に、予め決められた容量の情報（ブロック１）をレイヤ０（Ｌ０）に書き込み、続いて、レイヤ１（Ｌ１）に切り換えて、次の予め決められた容量の情報（ブロック２）を書き込む。次に、ドライブは、前に記録されたブロック１の後ろの予め決められた容量の記憶空間（ブロック３）において記録を行うために、レイヤ０にジャンプして戻る。
【発明の開示】
【発明が解決しようとする課題】
【０００６】
しかしながら、上記の方法により記録されたマルチレイヤディスクの欠点は、今日の市場におけるいろんなドライブによっても問題なく読み取られることができないことである。
【０００７】
本発明の目的は、上述された方法によっても引き続き記録され、いろんなドライブによっても読み取られることができるマルチレイヤ記録担体を提供することにある。
【課題を解決するための手段】
【０００８】
上述された方法によって記録された記録担体は、通常のデュアルレイヤＤＶＤ−ＲＯＭディスクに存在する論理ブロックシーケンスと異なる論理ブロックシーケンスをもつことに注目した。上述された方法によって記録されたＤＶＤディスクを読み取るために新たに開発されたドライブ、特に、ＤＶＤ＋Ｒデュアルレイヤドライブは、この異なるシーケンスを補償することができる。しかしながら、例えば、既存のＤＶＤ−ＲＯＭドライブのようなレガシードライブは、一般に、上述された方法によって記録されたこれらの記録担体を何の問題もなく読み取ることはできない。本発明によれば、記録担体は特別な第１のセッションを有し、この第１のセッションがいかなるレガシードライブによっても読み取り可能であるように記録され、更に、この特別な第１のセッションは特別な情報を有し、この特別な情報によって、任意のレガシードライブが上述された方法によって記録された記録担体全体を続いて読み取ることを可能にする。
【０００９】
この特別な第１のセッションは、製造中に記録担体に予め記録されてもよく、又は代替例として、この記録担体の初回の使用時に記録担体に記録されてもよい。
【発明を実施するための最良の形態】
【００１０】
次に、本発明は、図２を参照してより詳細に説明される。この図２は、本発明による記録担体のある実施形態を示す。図２に示される記録担体は、２つの情報レイヤ（レイヤ０及びレイヤ１）を有する。特別な第１のセッション（セッション１）が情報レイヤのレイヤ０に記録され、情報レイヤのレイヤ０においてセッション１を保持する領域と向かい合う情報レイヤのレイヤ１における領域が、ダミーデータを書き込まれる。代替例として、特別な第１のセッション（セッション１）の第１のパートが情報レイヤのレイヤ０に記録され、この特別な第１のセッションの第２のパートが情報レイヤのレイヤ１に記録され、セッション終了まで情報レイヤのレイヤ１において可能性として残存する記憶空間が少しでもあれば、ダミーデータを書き込まれる。このような特別な第１のセッションは、レガシードライブによって読み取り可能である。
【００１１】
好ましくは、特別な第１のセッションは、ユーザにとって利用可能な記憶空間をあまり減少させ過ぎないように、例えば、２メガバイト（Mbytes）などの小さなサイズである。
【００１２】
本発明の一実施形態では、特別な第１のセッション（セッション１）は、そのディスクが特別なＤＶＤ＋Ｒデュアルレイヤディスクであることをユーザに知らせるメッセージを含む。このメッセージは、更に、どのようにしてユーザ情報がこの記録担体から読み取られることができるのかに関する指示も含む。このメッセージは、例えば、テキストファイルの形式、又は、例えば、オートランファイルによって実行されることができるＨＴＭＬファイルの形式であってもよい。
【００１３】
本発明の一実施形態では、（「ドライバ」として呼ばれることが多い）フィルタドライブが、特別な第１のセッション（セッション１）に記憶される。レガシードライブにおける読み取りサポートを達成するために、このフィルタドライブは、記録担体から読み取られ、その後、（アプリケーションにより使用される）論理ブロックアドレスを、（記録担体に記憶される）対応する物理ブロックアドレスに及び適切な情報レイヤに変換することを実施するために使用されることができる。審査中の欧州特許出願公開第０３１０３２１０．５号明細書（当社整理番号ＰＨＮＬ０３１０４２）及び欧州特許出願公開第０３１０３２１７．０号明細書（当社整理番号ＰＨＮＬ０３１０４６）に説明された方法によって書き込まれる記録担体における論理ブロックアドレスと物理ブロックアドレスとの間の関係が、標準のデュアルレイヤＲＯＭ記録担体におけるものと異なるので、このような変換が必要とされる。ここで、このようなフィルタドライブ（即ち、ドライバ）が使用される場合、本発明による記録担体は、標準のデュアルレイヤＲＯＭ記録担体であるべきレガシードライブであるのは明らかである。フィルタドライブ（即ち、ドライバ）をそのディスク自体の特別な第１のセッションに記憶することの代替例として、特別な第１のセッションは、このようなフィルタドライブが利用できるロケーションに対するポインタを含む。例えば、特別な第１のセッションは、インターネットからフィルタドライブ（即ち、ドライバ）をダウンロードするためのウェブリンクを供給するＨＴＭＬファイルを含んでもよい。
【００１４】
記録担体における異なるシーケンスのブロックを補償し、従って、この特別な第１のセッションを必要としない、新たに開発されたドライブは、特別な第１のセッションを隠してもよく、そのため、メッセージは見えなくなり、及び／又はフィルタドライブ（即ち、ドライバ）が（ダウンロードされ）インストールされるであろうことに留意されたい。
【図面の簡単な説明】
【００１５】
【図１】デュアルレイヤディスクを示す図である。
【図２】本発明による記録担体の実施形態を示す図である。
【図１】
2007504579.tif 000002
【図２】
2007504579.tif 000003